(57)【特許請求の範囲】
【請求項１】
ハウス内の天井の空気を吹き下ろす送風機と、
前記送風機によって送り込まれた空気を下方、又は適所に送るダクトと、
このダクトの内周面に設けられる内カバーと、
を備え、
前記内カバーは、ハウス内の上方の空気を下方、又は適所に送るハウス用ダクトの内周面に設けられ、かつこの内周面を移動可能とするとともに、筒状に形成され、かつ、長さが略８０ｍｍ以上略６００ｍｍ以下の範囲内にあり、前記ダクトに加わる円周方向の応力が減少、及び／又は、前記内カバーによる送風空気抵抗の影響を、僅少とすることを可能とした構成であり、
前記内カバーの移動可能な範囲は、前記ダクトの吹出口から、このダクトの吸込口とするとともに、この内カバーの周面、又は端部には、防滑手段として、リング環、サンドペーパー、又は接着部を備え、
前記内カバーは、前記ダクトの内周面内に支持されている構成とし、
前記ダクトは、前記内周面に貫通孔を有し、
前記内カバーは、この内カバーの移動可能な範囲内の所定位置に取付けられることによって、前記貫通孔を塞ぐことを特徴とする給気構造。
【請求項２】
前記内カバーは、前記ダクトと、同質硬さか、又は硬い素材から形成されていることを特徴とする請求項１に記載の給気構造。
【請求項３】
前記ダクトの前記内周面には、このダクトの長さ方向に沿って、等間隔に印字がプリントされており、
前記内カバーは、前記印字に対応する任意の位置に取付けることを特徴とする請求項１又は２に記載の給気構造。
【発明の詳細な説明】
【技術分野】
【０００１】
本発明は、給気構造に関する。
【背景技術】
【０００２】
ハウス内においては、ダクトの吹出口（給気口）より、所定の方向に、的確かつスムーズに送風することで、ハウス内の空気の均一化を図りつつ、生育・成果・品質等の均一化が図れる。この目的達成には、ダクトの吹出口から吹出される（ハウス内に給気される）空気の安定した流れが要求される。そのためには、例えば、ダクトの吹出口の強度維持、及び形状（環状）確保と、このダクトのブレを無くすこと（ブレ防止）及び／又は、ダクトの形状確保が必要である。本出願人は、ブレ防止、及び／又は、形状確保のために、耐性の環体を使用していたが、さらに、市場の要望と、利便性とを確保すること、又は内カバーの軟質性を活用すること、等の実用面の改良を考えた。
【０００３】
特許文献１及び特許文献２に記載のダクトは、送風機から受けた空気を、ダクトの端部に形成された吹出口から給気している。しかし、この特許文献１、２は、図示の如く、ダクトを吊下（垂下）する構造を採用していないことから、ハウス内の上下方向の空気循環システムとは云えない。空気循環システムとしての意味合いは、同じとしても、本発明が目的とする、上下方向の空気循環システムとは異なる。また、本発明が意図するダクトのブレ防止解消と、ダクトの吹出口から給気される空気の流れの不安定解消とは、全く異なる。
【先行技術文献】
【特許文献】
【０００４】
【特許文献１】特開平５−２８４８６０号公報
【特許文献２】登録実用新案第３１７９９３８号公報
【発明の概要】
【発明が解決しようとする課題】
【０００５】
本発明は、上記の問題点を解決するためになされたもので、ダクトのブレ防止を図る給気構造を提供する。また、ダクトに加わる円周方向の応力が減少、及び／又は、内カバーによる送風空気抵抗の影響を、僅少とすることを可能とした構成の給気構造を提供する。また、内カバーがダクトの内周面内に支持されている給気構造を提供する。
【課題を解決するための手段】
【０００６】
上記目的を達成するため、本発明に係る給気構造は、
ハウス内の天井の空気を吹き下ろす送風機と、
前記送風機によって送り込まれた空気を下方、又は適所に送るダクトと、
このダクトの内周面に設けられる内カバーと、
を備え、
前記内カバーは、ハウス内の上方の空気を下方、又は適所に送るハウス用ダクトの内周面に設けられ、かつこの内周面を移動可能とするとともに、筒状に形成され、かつ、長さが略８０ｍｍ以上略６００ｍｍ以下の範囲内にあり、前記ダクトに加わる円周方向の応力が減少、及び／又は、前記内カバーによる送風空気抵抗の影響を、僅少とすることを可能とした構成であり、
前記内カバーの移動可能な範囲は、前記ダクトの吹出口から、このダクトの吸込口とするとともに、この内カバーの周面、又は端部には、防滑手段として、リング環、サンドペーパー、又は接着部を備え、
前記内カバーは、前記ダクトの内周面内に支持されている構成とし、
前記ダクトは、前記内周面に貫通孔を有し、
前記内カバーは、この内カバーの移動可能な範囲内の所定位置に取付けられることによって、前記貫通孔を塞ぐことを特徴とする。
【０００８】
前記内カバーは、ダクトと、同質硬さか、又は硬い素材から形成されていることを特徴とする。
【００１１】
給気構造のダクトの内周面には、ダクトの長さ方向に沿って、等間隔に印字がプリントされており、
内カバーは、印字に対応する任意の位置に取付けることを特徴とする。
【発明の効果】
【００１４】
本発明においては、内カバーが、ダクトの内周面に設けられることによって、ダクトのブレ防止と、ダクトの耐久性の向上とが図れる特徴と、当該ダクトの可撓性を維持できる実益がある。併せて、ダクトに加わる円周方向の応力が減少、及び／又は、内カバーによる送風空気抵抗の影響を、僅少とすることを可能とした特徴がある。また、内カバーは、ダクトの内周面内に支持されていることを特徴とする。
【図面の簡単な説明】
【００１５】
【図１】本発明の実施の形態１に係る給気構造の一部欠截の斜視図である。
【図２】（ａ）は、ダクトに内カバーが取付けられる様子を示す正面図である。（ｂ）は、ダクトに内カバーが取付けられた様子を示す正面図である。（ｃ）は、内カバーがダクトを移動した様子を示す正面図である。
【図３】本発明の実施の形態２に係る給気構造の一部欠截の斜視図である。
【図４】（ａ）は、ダクトに内カバーが取付けられる様子を示す正面図である。（ｂ）は、ダクトに内カバーが取付けられた様子を示す正面図である。（ｃ）は、内カバーがダクトを移動した様子を示す正面図である。
【図５】本発明の実施の形態３に係る給気構造の一部欠截の斜視図である。
【図６】（ａ）は、ダクトに内カバーが取付けられる様子を示す正面図である。（ｂ）は、ダクトに内カバーが取付けられた様子を示す正面図である。（ｃ）は、内カバーがダクトを移動した様子を示す正面図である。
【図７】本発明の変形例に係る給気構造の一部欠截の斜視図である。
【図８】（ａ）は、本発明の実施の形態４に係るダクトに内カバーが取付けられる様子を示す正面図である。（ｂ）は、ダクトに内カバーが取付けられた様子を示す正面図である。（ｃ）は、内カバーがダクトを移動した様子を示す正面図である。
【図９】（ａ）は、本発明の基本的な構造であり、環状分離リングを備えた内カバーとダクトの一部を、分解して示した斜視図である。（ｂ）は、前記（ａ）の内カバーがダクト内に取付けられた様子を示す正面図である。
【図１０】（ａ）は、本発明の内カバーのその他の構造で、内カバーの外周面に防滑用のサンドペーパー（防滑手段）を付設した一例を示した斜視図である。（ｂ）は、内カバーの外周面に接着部（防滑手段）を付設した一例を示した斜視図である。（ｃ）は、内カバーの外周面にゴムリングの防滑手段を付設した一例を示した斜視図である。
【図１１】本発明のハンドリング具の一例を示した模式図であり、（ａ）は、内カバーを操作する状態の図である。（ｂ）は、操作終了後の状態を示した図である。
【発明を実施するための形態】
【００１６】
以下、本発明の実施の形態について図面を参照しながら詳細に説明する。
【００１７】
図１に示すように、ハウス２は、従来と同様に、例えば、躯体２ｃと梁（図示しない）、及びビニールフイルム、ガラス等の保護材、補強材（図示しない）、並びにワイヤ、その他資材等で構成されている。ハウス２を構成する躯体２ｃ、又は天井２ｂ等には、ワイヤ２ｄ、及び／又は、支持部材２ｅにより、後述する給気構造１のケーシング４０、及びダクト１０が吊下げられる（ダクト１０は、天井２ｂから下方に向かって延びており、かつハウス２に、一本又は複数本吊下される）。
【００１８】
作物３は、棚栽培方式の一例で栽培されているトマトである。例えば、作物３は、脚を有する棚２ａの上で栽培されている。また、図示しないが、ハンギングガター方式による棚栽培、土耕栽培等の栽培方式も有り得る。
【００１９】
給気構造１は、例えば、ハウス２内の空気が滞留している状況とか、暖房機の稼働している状況下等において、天井２ｂ、又はその近傍等の空気温度（温度とする）に対して、培地、又はその近傍等の温度が低い状況で、前記滞留解消と、天井２ｂ近傍の空気を、下方向に吹き下ろし、培地近傍の温度の上昇を図るために使用される。そして、作物３の生長点に対して、新鮮な暖気を供給するとともに、作物３の周辺に空気の流れを確保する。この給気構造１は、例えば、ケーシング４０と、ケーシング４０に吊下したダクト１０と、ケーシング４０内に設けた送風機２０、及び／又は、ダクト１０に挿嵌される内カバー（ダクト内カバー）３０と、で構成する。ケーシング４０は、天井２ｂ、躯体２ｃ、又は、屋根部のいずれかの下部（ハウス２の上部で、空気が滞留する領域）に位置するワイヤ２ｄ、及び／又は、支持部材２ｅに取付けられている。前記ダクト１０に内カバーを挿嵌するが、内周面１１に落下しないように支持される。構成は、図９と図１０において、好ましい、かつ実施に供し得る構造を提案する。
【００２０】
ダクト１０は、軟質等のプラスチックから形成された、円筒形状である。ダクト１０の内径ｄｉは、略２４２ｍｍ、厚みｔ１は、略０．０５ｍｍである。長さは、略２９５０ｍｍである。ダクト１０の重量は、略１９８ｇである。ダクト１０の吸込口１２（上方）は、例えば、ケーシング４０の下側に取付けられている。ダクト１０の吹出口１３は、地表面ＧＬから、例えば１５０ｍｍ離れた場所に位置する。ダクト１０は、ハウス２において、空気（主として、澱み空気）、又は暖気等の空気（暖気とする）が滞留する領域、例えば、天井２ｂの暖気を、その下方、又は途中の適所（後述する貫通孔１４）に送る。
【００２１】
内カバー３０は、軟質等のプラスチックから形成されている。内カバー３０は、円筒形状であって、内カバー３０の長さは、例えば、略１００ｍｍ、厚みｔ２は、略０．０５ｍｍである。内カバー３０は、ダクト１０に摺動自在に挿嵌される。内カバー３０を、挿嵌した状態では、内カバー３０の外壁面３１と、ダクト１０の内周面１１とは、後述する防滑手段５０（滑落防止手段）で支持される。即ち、内カバー３０がダクト１０から落下しない構造とする。
【００２２】
内カバー３０がダクト１０に取付けられていない場合、薄肉円筒の式（１）に示すように、ダクト１０に対して、円周方向の応力σｔ１が発生する。応力σｔ１は、ダクトの内径ｄｉ及びダクトに作用する内圧Ｐの大きさに比例して大きくなる。応力σｔ１は、ダクトの厚みｔ１の大きさに反比例して小さくなる。
【００２３】
【数１】
0006505478.tif 000002
【００２４】
内カバー３０がダクト１０に取付けられると、薄肉円筒の式（２）に示すように、ダクト１０に対して、円周方向の応力σｔ２が発生する。
【００２５】
【数２】
0006505478.tif 000003
【００２６】
尚、式（１）、（２）における各記号の単位は、下記の通りである。
σｔ１、σｔ２：円周方向の応力（Ｎ／ｍｍ２）
ｄｉ：ダク卜の内径（ｍｍ）
Ｐ：ダク卜に作用する内圧（ＭＰａ）
ｔ１：ダクトの厚み（ｍｍ）
ｔ２：内カバーの厚み（ｍｍ）
【００２７】
式（１）と式（２）とを比較すると、内カバー３０の厚みｔ２が加わったことによって、応力σｔ２は、応力σｔ１よりも小さくなっている。このように、ダクト１０に内カバー３０が取付けられることによって、ダクト１０に加わる円周方向の応力が減少するため、ダクト１０のブレ防止が図れる。尚、本発明の実施形態では、内カバー３０による送風空気抵抗の影響もある。しかし、影響は、僅少であることに鑑み、計算式においては、無視して差し支えない。
【００２８】
防滑手段５０は、内カバー３０をダクト１０の内周面１１に、支持する方法の一例であり、図９（ａ）、（ｂ）と図１０（ａ）、（ｂ）、（ｃ）に示されている。内カバー３０をダクト１０の内周面１１に取り付けるための道具として、例えば、図１１に示すハンドリング具５２が用いられる。ハンドリング具５２は、先端に内カバー３０を挟持するための挟持部５２ａと、後端に挟持部５２ａの開閉を操作するためのハンドル５２ｂとを有する。
【００２９】
例えば、図９（ａ）、（ｂ）に示した防滑手段５０は、内カバー３０ａの上方（一例で有り、上方以外の箇所とか、複数箇所等も有る。以下同じ）に設けた分割式リング体５１と、リング体５１で支持される分割式内カバー３０ａの構造である。例えば、ハンドリング具５２を利用して、リング体５１、及び／又は、内カバー３０ａを収縮し、ダクト１０の内周面１１に挿入する（差し入れる）。その後、ハンドリング具５２を操作して、リング体５１に対する規制を開放すると、リング体５１、及び／又は内カバー３０ａが、例えば、自然に復元して、ダクト１０の所望する箇所で、静止摩擦力で支持される構造である。
【００３０】
尚、図１０（ａ）の実施例は、内カバー３０ｂの上方に設けたサンドペーパー５３の防滑手段５０である。例えば、ハンドリング具５２を利用して、内カバー３０ｂを支持、かつ収縮し、ダクト１０の内周面１１に挿入する。その後、ハンドリング具５２を操作して、内カバー３０ｂに対する規制を開放すると、内カバー３０ｂの復元され、サンドペーパー５３と、内周面１１との静止摩擦力を利用して、ダクト１０の所望する箇所で支持される構造である。
【００３１】
また、図１０（ｂ）の実施例は、内カバー３０ｃの上方に設けた接着部５４（接着シート等）の防滑手段５０である。例えば、ハンドリング具５２を利用して、内カバー３０ｃを支持、かつ収縮し、ダクト１０の内周面１１に挿入する。その後、ハンドリング具５２を操作して、内カバー３０ｃに対する規制を開放すると、内カバー３０ｃが、前述と同様に復元され、接着部５４と内周面１１との接着を利用して、ダクト１０の所望する箇所で支持される構造である。
【００３２】
さらに、図１０（ｃ）の実施例は、内カバー３０ｄの上方に設けた可撓性のゴムリング５５の防滑手段５０である。例えば、ハンドリング具５２を利用して、内カバー３０ｄを支持、かつ収縮し、ダクト１０の内周面１１に挿入する。その後、ハンドリング具５２を操作して、内カバー３０ｄに対する規制を開放すると、内カバー３０ｄが、前述と同様に復元され、ゴムリング５５と内周面１１との接着を利用して、ダクト１０の所望する箇所で支持される構造である。尚、図示しないが、内カバー３０ｂ〜内カバー３０ｄは、分割式の構造も可能である。
【００３３】
以下、各実施の形態を説明する。
【００３４】
図１と図２（ａ）〜（ｃ）に示した、実施の形態１では、内カバー３０に設けた防滑手段５０により、ダクト１０に取付けられる。外壁面３１に設けた防滑手段５０と、内周面１１との間に静止摩擦力等が発生し、内カバー３０がダクト１０に支持される。各図において、内カバー３０を、ダクト１０の内周面１１に取付ける例を、説明かつ図示したが、この例に限定されない。この例では、図２（ｃ）に示すように、内カバー３０を吹出口１３から上方に所定の距離Ｄ移動させることも可能であり、移動位置等における、例えば、ダクト１０の強度を確保できる。さらに、ダクト１０をまくり上げることで、下方に作業スペースを確保できる。また、移動位置等における、例えば、ダクト１０にかかる応力を内カバー３０が受けることによって、ブレ防止が図れる。尚、内カバー３０の長さは、例えば、略８０ｍｍ以上略６００ｍｍ以下の範囲内にあることが好ましい。より好ましくは、略１００ｍｍ以上略４００ｍｍ以下の範囲内にあることが好ましい。前記の如く、内カバー３０の長さが略８０ｍｍ以上〜略６００ｍｍ以下の範囲内に決定する構成であり、ダクト１０のブレ防止が図れるとともに、ダクト１０の強度が向上する。また、ダクト１０への取付けが簡便になるため、内カバー３０の実用性が高められる。図示しないが、ダクト１０及び内カバー３０の材料を最適化すれば、ダクト１０のブレ防止を、確実に達成でき、かつ実効性が担保される。このように内カバー３０がダクト１０に取付けられ、ダクト１０の形状が安定する。従って、内カバー３０の上方の空気は、吹出口１３に至り（空気の流れが確保されるので）、作物３に効率的に給気できる。
【００３５】
図３と図４（ａ）〜（ｃ）に示した、実施の形態２では、給気構造１Ａ（吹出口１３付近の地表面ＧＬの状態、又は、圃場の空間等の位置の変更）について、図３及び図４（ａ）、（ｂ）、（ｃ）を用いて説明する。実施の形態１と同一又は同等の構成については、同一の符号を用い、説明を省略する（以下、同じ）。実施の形態２に係るダクト１０Ａは、内周面１１に貫通孔１４を形成する点で、実施の形態１に係るダクト１０と相違している。後述するダクト１０Ａ〜ダクト１０Ｃは、ダクト１０の代替品である。ダクト１０Ａの内周面１１には、図３に示すように、吹出口１３の上方の（所定の距離Ｄ１離れた）位置及び／又は、その周辺に複数の貫通孔１４を形成し、貫通孔１４からも給気が行われる。これにより、棚２ａの上で栽培されている作物３の生長を促すことができる。そして、内カバー３０は、図４（ａ）、（ｂ）、（ｃ）に示すように、吹出口１３から上方に所定の距離Ｄ１離れた位置に移動させることも可能である。また、内カバー３０を貫通孔１４に移動すれば、貫通孔１４を塞ぎ、給気停止が図れる。このように、内カバー３０の移動を、給気を調整するための手段として利用することができる。
【００３６】
図５と図６（ａ）〜（ｃ）に示した、実施の形態３では、給気構造１Ｂについて説明する。尚、実施の形態１と同一又は同等の構成については、同一の符号を用い、説明を省略する。実施の形態３に係るダクト１０Ｂは、内周面１１に印字１５がプリントされている点で、実施の形態１に係るダクト１０と相違している。ダクト１０Ｂの内周面１１には、図５に示すように、複数の印字１５が上下方向に沿って、例えば、３ｃｍ毎にプリントされている。印字１５は、ダクト１０Ｂの製品名又は商標名（ロゴ等）を書したものである。印字１５を、ダクト１０Ｂの製品名又は商標名のアピールに利用することができる。印字１５の代わりに、点、線、記号、文字等を使用することもできる。内カバー３０は、図６（ａ）、（ｂ）、（ｃ）に示すように、吹出口１３から上方に移動させることも可能である。このため、内カバー３０を吹出口１３から上方に移動させる際、印字１５の位置を目安に移動させることができる。印字１５等によって、内カバー３０が吹出口１３から移動した距離を視認できる。
【００３７】
以上、本発明の各実施の形態について説明したが、本発明は、上記実施の形態によって限定されるものではない。例えば、以下のように変形して実施することもできる。
【００３８】
作物３は、図１、３、５に示した、棚栽培等に限定されず、その他として、例えば、図７に示すように、土耕栽培も有り得る。
【００３９】
実施の形態３に係るダクト１０Ｂには、ダクト１０Ｂの製品名等の印字１５がプリントされていた。しかしながら、実施の形態４では、図８（ａ）、（ｂ）、（ｃ）に示すように、等間隔、又は適宜間隔に目盛り１６を設けたダクト１０Ｃであってもよい。
【００４０】
内カバー３０は、詳細には説明しないが（図示しないが）、難燃性の軟質プラスチックで形成することで、火災時に有益と考えられる。尚、ダクト１０も同様である。また、内カバー３０は、硬質プラスチック等で、例えば、ダクト１０の硬質プラスチックに対して、硬い材料から形成されていてもよい。ダクト１０のブレ防止に有効である。
【００４１】
上述の実施の形態では、単独の内カバー３０がダクト１０Ａに取付けられた例を示したが、複数の内カバー３０が取付けられていてもよい。ダクト１０Ａのブレ防止と、貫通孔１４の閉塞とに有益と考えられる。
【００４２】
内カバー３０とダクト１０とを接着テープで添着するか、又は接着材で取付けることによって、内カバー３０のダクト１０から剥離防止を図ってもよい。
【００４３】
本発明は、本発明の広義の精神と範囲を逸脱することなく、様々な実施の形態及び変形が可能とされるものである。上述した実施の形態は、本発明を説明するためのものであり、本発明の範囲を限定するものではない。
【符号の説明】
【００４４】
１、１Ａ，１Ｂ  給気構造
２  ハウス
２ａ  棚
２ｂ  天井
２ｃ  躯体
２ｄ  ワイヤ
２ｅ  支持部材
３  作物
１０、１０Ａ、１０Ｂ、１０Ｃ  ダクト
１１  内周面
１２  吸込口
１３  吹出口
１４  貫通孔
１５  印字
１６  目盛り
２０  送風機
３０、３０ａ〜３０ｇ  内カバー（ダクト内カバー）
３１  外壁面
４０  ケーシング
５０  防滑手段
５１  リング体
５２  ハンドリング具
５２ａ  挟持部
５２ｂ  ハンドル
５３  サンドペーパー
５４  接着部
５５  ゴムリング
Ｄ、Ｄ１  所定距離
ＧＬ  地表面
σｔ１、σｔ２  応力
ｄｉ  内径
ｔ１、ｔ２  厚み
Ｐ  内圧
【図１】
0006505478.tif 000004
【図２】
0006505478.tif 000005
【図３】
0006505478.tif 000006
【図４】
0006505478.tif 000007
【図５】
0006505478.tif 000008
【図６】
0006505478.tif 000009
【図７】
0006505478.tif 000010
【図８】
0006505478.tif 000011
【図９】
0006505478.tif 000012
【図１０】
0006505478.tif 000013
【図１１】
0006505478.tif 000014